(57)【要約】【課題】照明光の相対色温度を所定の相対色温度調整範囲で調整可能とするものでありながら、発光素子の必要個数を削減できるだけでなく、駆動回路部の回路規模を小さくでき、ひいては同等の相対色温度調整が可能な照明装置に比して大幅なコストダウンが可能となる照明装置を提供すること。【解決手段】第１の色温度の光を発光する複数の第１のＬＥＤからなる第１のＬＥＤモジュールＡと、第２の色温度の光を発光する複数のＬＥＤからなる第２のＬＥＤモジュールＢと、を含む光源部１ａと、第１のＬＥＤモジュールＡと第２のＬＥＤモジュールＢのそれぞれに供給する電力を制御して光源部１ａの相対色温度を調整する駆動回路部１ｂと、を備え、光源部１ａは、第１の色温度と第２の色温度の少なくともいずれかが駆動回路部１ｂにより設定される所定の相対色温度調整範囲に含まれないように構成される。【選択図】図２
2013191522.tif 000002
【特許請求の範囲】
【請求項１】
第１の色温度の光を発光する複数の第１の発光素子からなる第１光源と、第２の色温度の光を発光する複数の第２の発光素子からなる第２光源と、を含む光源部と、
前記第１光源と前記第２光源のそれぞれに供給する電力を制御して前記光源部の相対色温度を調整する駆動回路部と、を備え、
前記光源部は、前記第１の色温度と前記第２の色温度の少なくともいずれかが前記駆動回路部により設定される所定の相対色温度調整範囲に含まれないように構成され、
前記駆動回路部は、前記光源部の相対色温度を前記相対色温度調整範囲の上限値の相対色温度、および／または、下限値の相対色温度に調整するときであっても、前記第１光源または前記第２光源に対する電力供給を停止することなく、調整する相対色温度に応じた所定の比率で前記第１光源および前記第２光源に電力供給を行う
ことを特徴とする照明装置。
【請求項２】
前記第１の色温度は前記第２の色温度よりも高く、前記第１の色温度は前記相対色温度調整範囲の上限値の相対色温度よりも高い色温度である、および／または、前記第２の色温度は前記相対色温度調整範囲の下限値の相対色温度よりも低い色温度である
請求項１に記載の照明装置。
【請求項３】
前記第１の色温度と前記相対色温度調整範囲の上限値の相対色温度との差は、前記第２の色温度と前記相対色温度調整範囲の下限値の相対色温度との差よりも大きい
請求項２に記載の照明装置。
【請求項４】
前記第２の色温度は前記相対色温度調整範囲の下限値の相対色温度と同じである
請求項３に記載の照明装置。
【請求項５】
前記駆動回路部は、
前記第１光源に対する供給電力が前記相対色温度調整範囲内の所定の相対色温度以上で最大となるように前記第１光源の供給電力を制御するとともに、
前記光源部の相対色温度が前記相対色温度調整範囲内の所望の値になるように前記第２光源の供給電力を制御する
請求項２に記載の照明装置。
【発明の詳細な説明】
【技術分野】
【０００１】
本発明は、ＬＥＤなどの発光素子を光源とし、照明光の調色制御が可能な照明装置に関する。
【背景技術】
【０００２】
従来、照明光の調光や調色を可能とした照明装置として、たとえば、特許文献１に記載されたものがある。特許文献１に記載された従来例では、互いに色温度の異なる二つの発光部（ＬＥＤモジュール）と、それぞれの発光部の光出力を制御する制御回路とを備え、各発光部の出力比率を変化させることにより、照明光の調色を可能にしている。
【先行技術文献】
【特許文献】
【０００３】
【特許文献１】特開２００８−２２６４７３号公報
【発明の概要】
【発明が解決しようとする課題】
【０００４】
しかしながら、特許文献１のような従来の照明装置では、照明光の相対色温度を所定の相対色温度調整範囲内で調整可能とするにあたり、相対色温度調整範囲の上限値に相当する色温度を有する第１の発光部と、相対色温度調整範囲の下限値に相当する色温度を有する第１の発光部とを組合せ、照明光の相対色温度を相対色温度調整範囲の中間値に調整する場合はその相対色温度に応じた出力比率で各発光部を発光駆動させるものの、相対色温度調整範囲の上限値に調整する場合は第１の発光部のみを発光駆動させ、相対色温度調整範囲の下限値に調整する場合は第２の発光部のみを発光駆動させているので、照明光の相対色温度を相対色温度調整範囲の上限値や下限値に調整する場合、いずれかの発光部のみで必要な照度を確保する必要がある。そのため、各発光部における発光素子の必要個数が多くなるだけでなく、各発光部の最大駆動電力が大きくなり、駆動回路部の回路規模も大きくなるという問題があった。
【０００５】
そこで、本発明は、上記の問題点に鑑みなされたものであって、照明光の相対色温度を所定の相対色温度調整範囲で調整可能とするものでありながら、発光素子の必要個数を削減できるだけでなく、駆動回路部の回路規模を小さくでき、ひいては同等の相対色温度調整が可能な照明装置に比して大幅なコストダウンが可能となる照明装置の提供を目的とする。
【課題を解決するための手段】
【０００６】
本発明は上記目的を達成するために提案されたものであり、第１の色温度の光を発光する複数の第１の発光素子からなる第１光源と、第２の色温度の光を発光する複数の第２の発光素子からなる第２光源と、を含む光源部と、前記第１光源と前記第２光源のそれぞれに供給する電力を制御して前記光源部の相対色温度を調整する駆動回路部と、を備え、前記光源部は、前記第１の色温度と前記第２の色温度の少なくともいずれかが前記駆動回路部により設定される所定の相対色温度調整範囲に含まれないように構成され、前記駆動回路部は、前記光源部の相対色温度を前記相対色温度調整範囲の上限値の相対色温度、および／または、下限値の相対色温度に調整するときであっても、前記第１光源または前記第２光源に対する電力供給を停止することなく、調整する相対色温度に応じた所定の比率で前記第１光源および前記第２光源に電力供給を行う構成としてある。
【０００７】
この構成によれば、光源部の相対色温度を相対色温度調整範囲の上限値の相対色温度、および／または、下限値の相対色温度に調整するときであっても、調整する相対色温度に応じた所定の比率で第１光源および第２光源に電力供給を行うので、第１光源または第２光源のみで必要な照度を確保する必要がなく、その結果、光源部における発光素子の必要個数を削減できるだけでなく、駆動回路部の回路規模を小さくでき、ひいては同等の相対色温度調整が可能な照明装置に比して大幅なコストダウンが可能となる。
【０００８】
また、前記第１の色温度は前記第２の色温度よりも高く、前記第１の色温度は前記相対色温度調整範囲の上限値の相対色温度よりも高い色温度である、および／または、前記第２の色温度は前記相対色温度調整範囲の下限値の相対色温度よりも低い色温度としてある。
【０００９】
そして、前記第１の色温度と前記相対色温度調整範囲の上限値の相対色温度との差は、前記第２の色温度と前記相対色温度調整範囲の下限値の相対色温度との差よりも大きい構成としてある。
【００１０】
この構成によれば、第１の色温度と相対色温度調整範囲の上限値の相対色温度との差を、第２の色温度と相対色温度調整範囲の下限値の相対色温度との差よりも大きくしたので、低い色温度の発光素子ほど演色性が高い傾向にあることを利用し、第１光源の駆動比率が高い相対色温度調整範囲の上限域において演色性の高い第２光源の駆動比率を従来よりも高くすることで、演色性の高い照明光を実現できる。逆に、第２光源の駆動比率が高い相対色温度調整範囲の下限域では、第２の色温度を相対色温度調整範囲の下限値よりも低くすると、演色性の低い第１光源の駆動比率が従来よりも高くなることで、照明光の演色性が低下する可能性があるが、第２の色温度と相対色温度調整範囲の下限値の相対色温度との差を、第１の色温度と相対色温度調整範囲の上限値の相対色温度との差よりも小さくしたので、演色性の低下を抑制することができる。
【００１１】
また、前記第２の色温度は前記相対色温度調整範囲の下限値の相対色温度と同じとしてある。
【００１２】
この構成によれば、光源部の相対色温度を相対色温度調整範囲の下限値の相対色温度に調整する場合、従来と同様に第２光源のみを発光駆動させることになるので、相対色温度調整範囲の下限値における照明光の演色性を従来と同等としつつ、相対色温度調整範囲の上限域において演色性の高い照明光を実現できる。
【００１３】
また、前記駆動回路部は、前記第１光源に対する供給電力が前記相対色温度調整範囲内の所定の相対色温度以上で最大となるように前記第１光源の供給電力を制御するとともに、前記光源部の相対色温度が前記相対色温度調整範囲内の所望の値になるように前記第２光源の供給電力を制御する構成としてある。
【００１４】
この構成によれば、第１光源に対する供給電力が相対色温度調整範囲内の所定の相対色温度以上で最大となるので、演色性の高い第１光源の駆動比率を高めて演色性の高い照明光を実現できる。しかも、所定の相対色温度以上の領域では、相対色温度を上昇側に調整する場合、第２光源の駆動比率を低下させることになるので、相対色温度を上昇させるほど消費電力が低下するという省電力モードで光源部を発光駆動させることが可能になる。
【発明の効果】
【００１５】
本発明によれば、照明光の相対色温度を所定の相対色温度調整範囲で調整可能とするものでありながら、発光素子の必要個数を削減できるだけでなく、駆動回路部の回路規模を小さくでき、ひいては同等の相対色温度調整が可能な照明装置に比して大幅なコストダウンが可能となる。
【図面の簡単な説明】
【００１６】
【図１】本発明の実施形態に係る照明装置の模式的な回路構成を示すブロック図である。
【図２】図２の（ａ）〜（ｃ）は本発明の実施形態に係る照明装置の相対色温度調整範囲とＬＥＤモジュールの色温度との関係を示す説明図である。
【図３】本発明の第１実施形態に係る照明装置の相対色温度調整範囲とＬＥＤモジュールの駆動電力比率との関係を示す説明図である。
【図４】ＬＥＤの色温度の組合せに対する、光源部の相対色温度と駆動電力との関係、ＬＥＤの必要個数、および回路最大出力を示す説明図であり、図４の（ａ）は従来の照明装置に係る説明図、図４の（ｂ）〜（ｅ）は本発明の第１実施形態の照明装置に係る説明図である。
【図５】図５の（ａ）は本発明の第２実施形態に係る照明装置の相対色温度調整範囲とＬＥＤモジュールの駆動電力比率との関係を示す説明図であり、図５の（ｂ）は本発明の第２実施形態に係る照明装置の相対色温度調整範囲と光源部の駆動電力の合計との関係を示す説明図である。
【図６】ＬＥＤの色温度の組合せに対する、光源部の相対色温度と駆動電力との関係、およびＬＥＤの必要個数を示す説明図であり、図６の（ａ）は従来の照明装置に係る説明図、図６の（ｂ）は本発明の第２実施形態の照明装置に係る説明図である。
【発明を実施するための形態】
【００１７】
以下、本発明に係る好適な実施形態について、図面を参照しながら詳細に説明する。なお、実施形態の説明の全体を通じて同じ要素には同じ符号を付して説明する。
【００１８】
図１は、本発明の実施形態に係る照明装置の模式的な回路構成を示すブロック図である。
図１に示すように、本発明の実施形態に係る照明装置１は、第１の色温度の光を発光する複数の第１の発光素子からなる第１光源と、第２の色温度の光を発光する複数の第２の発光素子からなる第２光源と、を含む光源部１ａと、第１光源と第２光源のそれぞれに供給する電力を制御して光源部の相対色温度を調整する駆動回路部１ｂと、を備える。
【００１９】
本実施形態の光源部１ａは、第１光源の一例として、直列に接続された複数の第１のＬＥＤ（第１の発光素子の一例）からなる第１のＬＥＤモジュールＡを備え、第２光源の一例として、直列に接続された複数の第２のＬＥＤ（第２の発光素子の一例）からなる第２のＬＥＤモジュールＢを備える。そして、第１のＬＥＤモジュールＡは、駆動回路部１ｂの定電流回路３ａから供給される直流電力により駆動されて発光し、第２のＬＥＤモジュールＢは、駆動回路部１ｂの定電流回路３ｂから供給される直流電力により駆動されて発光する。
【００２０】
本実施形態の駆動回路部１ｂは、制御回路２と定電流回路３ａ、３ｂとを備える。定電流回路３ａ、３ｂは、それぞれ、ＬＥＤモジュールＡ、Ｂに供給する直流電力の大きさが制御回路２によって制御される。制御回路２は、定電流回路３ａ、３ｂを介して、ＬＥＤモジュールＡ、Ｂに供給する直流電力の比率を制御することにより照明光の相対色温度を調整する。
【００２１】
以上の構成は従来の照明装置と同様である。以下、本発明の第１実施形態に係る照明装置１の特徴部分について説明する。
【００２２】
本実施形態の光源部１ａは、第１のＬＥＤモジュールＡの色温度と第２のＬＥＤモジュールＢの色温度の少なくともいずれかが駆動回路部１ｂにより設定される所定の相対色温度調整範囲に含まれないように構成される。
【００２３】
また、本実施形態の駆動回路部１ｂは、光源部１ａの相対色温度を相対色温度調整範囲の上限値の相対色温度、および／または、下限値の相対色温度に調整するときであっても、第１のＬＥＤモジュールＡまたは第２のＬＥＤモジュールＢに対する電力供給を停止することなく、調整する相対色温度に応じた所定の比率で第１のＬＥＤモジュールＡおよび第２のＬＥＤモジュールＢに電力供給を行う。以下、図２および図３を用いて具体的に説明する。
【００２４】
図２の（ａ）〜（ｃ）は本発明の実施形態に係る照明装置の相対色温度調整範囲とＬＥＤモジュールの色温度との関係を示す説明図である。
たとえば、図２の（ａ）では、色温度調整範囲Ｋ２−Ｋ３に対して、第１のＬＥＤモジュールＡ２が色温度調整範囲Ｋ２−Ｋ３の上限値Ｋ３より高い色温度Ｋ４であり、第２のＬＥＤモジュールＢ１が色温度調整範囲Ｋ２−Ｋ３の下限値Ｋ２と同じ色温度Ｋ２である。
また、図２の（ｂ）では、色温度調整範囲Ｋ２−Ｋ３に対して、第１のＬＥＤモジュールＡ１が色温度調整範囲Ｋ２−Ｋ３の上限値Ｋ３と同じ色温度Ｋ３であり、第２のＬＥＤモジュールＢ２が色温度調整範囲Ｋ２−Ｋ３の下限値Ｋ２より低い色温度Ｋ１である。
また、図２（ｃ）では、相対色温度調整範囲Ｋ２−Ｋ３に対して、第１のＬＥＤモジュールＡ２が色温度調整範囲Ｋ２−Ｋ３の上限値Ｋ３より高い色温度Ｋ４であり、第２のＬＥＤモジュールＢ２が色温度調整範囲Ｋ２−Ｋ３の下限値Ｋ２より低い色温度Ｋ１である。また、第１のＬＥＤモジュールＡ３が第１のＬＥＤモジュールＡ２の色温度Ｋ４よりも高い色温度Ｋ５である場合も同じ図に示している。
【００２５】
図３は、本発明の第１実施形態に係る照明装置の相対色温度調整範囲とＬＥＤモジュールの駆動電力比率との関係を示す説明図である。
なお、本実施形態の相対色温度調整範囲は、３０００Ｋ（ケルビン）−６０００Ｋ（ケルビン）とする。
【００２６】
従来の照明装置では、６０００Ｋの色温度を有するＬＥＤモジュールと３０００Ｋの色温度を有するＬＥＤモジュールとが用いられるため、相対色温度調整範囲でそれぞれのＬＥＤモジュールに供給される駆動電力は、ラインＬａ、Ｌｂのように変化し、それぞれの最大出力はＰ１（Ｗ）、Ｐ２（Ｗ）となる。
【００２７】
一方、本実施形態の照明装置１では、図２の（ｃ）で示したように、ＬＥＤモジュールＡ、Ｂがともに相対色温度調整範囲よりも外側にある例として、７０００Ｋの色温度を有する第１のＬＥＤモジュールＡ２と２０００Ｋの色温度を有する第２のＬＥＤモジュールＢ２とを用いた場合、相対色温度調整範囲でそれぞれのＬＥＤモジュールＡ２、Ｂ２に供給される駆動電力は、ラインＬＡ、ＬＢのように変化し、それぞれの最大出力はＰａ（Ｗ）、Ｐｂ（Ｗ）となり、従来と比べて、それぞれ、Ｐ１−Ｐａ、Ｐ２−Ｐｂの電力を低減することができる。
【００２８】
つぎに、本実施形態の照明装置１におけるＬＥＤの組合せの具体例と、その効果について説明する。
【００２９】
図４は、ＬＥＤの色温度の組合せに対する、光源部の相対色温度と駆動電力との関係、ＬＥＤの必要個数、および回路最大出力を示す説明図であり、図４の（ａ）は従来の照明装置に係る説明図、図４の（ｂ）〜（ｅ）は本発明の第１実施形態の照明装置に係る説明図である。
なお、本具体例では、ＬＥＤモジュールに用いるＬＥＤのすべてが１Ｗの出力のものとし、光源部１ａは６０Ｗを出力するものとする。また、相対色温度調整範囲は、３０００Ｋ−６０００Ｋとし、ＬＥＤの符号は、図２で表したものを参照している。
【００３０】
図４の（ａ）に示す従来の照明装置では、相対色温度調整範囲の上限の色温度６０００ＫのＬＥＤモジュールＡ１と下限の色温度３０００ＫのＬＥＤモジュールＢ１が用いられる。ＬＥＤの必要数は、どちらも６０個となり、定電流回路３ａ、３ｂの最大出力はどちらも６０Ｗとなる。
【００３１】
図４の（ｂ）に示す本実施形態の照明装置１におけるＬＥＤの組合せ例（１）では、色温度７０００ＫのＬＥＤモジュールＡ２と色温度３０００ＫのＬＥＤモジュールＢ１が用いられる。ＬＥＤの必要数は、それぞれ、４５個、６０個となり、定電流回路３ａ、３ｂの最大出力は、それぞれ、４５Ｗ、６０Ｗとなる。
【００３２】
図４の（ｃ）に示す本実施形態の照明装置１におけるＬＥＤの組合せ例（２）では、色温度６０００ＫのＬＥＤモジュールＡ１と色温度２０００ＫのＬＥＤモジュールＢ２が用いられる。ＬＥＤの必要数は、それぞれ、６０個、４５個となり、定電流回路３ａ、３ｂの最大出力は、それぞれ、６０Ｗ、４５Ｗとなる。
【００３３】
図４の（ｄ）に示す本実施形態の照明装置１におけるＬＥＤの組合せ例（３）では、色温度７０００ＫのＬＥＤモジュールＡ２と色温度２０００ＫのＬＥＤモジュールＢ２が用いられる。ＬＥＤの必要数は、どちらも４８個となり、定電流回路３ａ、３ｂの最大出力は、どちらも４８Ｗとなる。
【００３４】
図４の（ｅ）に示す本実施形態の照明装置１におけるＬＥＤの組合せ例（４）では、色温度１００００ＫのＬＥＤモジュールＡ３と色温度３０００ＫのＬＥＤモジュールＢ１が用いられる。ＬＥＤの必要数は、それぞれ、２６個、６０個となり、定電流回路３ａ、３ｂの最大出力は、それぞれ、２６Ｗ、６０Ｗとなる。
【００３５】
以上に述べた本発明の第１実施形態によれば、第１の色温度の光を発光する複数の第１のＬＥＤからなる第１のＬＥＤモジュールＡと、第２の色温度の光を発光する複数のＬＥＤからなる第２のＬＥＤモジュールＢと、を含む光源部１ａと、第１のＬＥＤモジュールＡと第２のＬＥＤモジュールＢのそれぞれに供給する電力を制御して光源部１ａの相対色温度を調整する駆動回路部１ｂと、を備え、光源部１ａは、第１の色温度と第２の色温度の少なくともいずれかが駆動回路部１ｂにより設定される所定の相対色温度調整範囲に含まれないように構成され、駆動回路部１ｂは、光源部１ａの相対色温度を相対色温度調整範囲の上限値の相対色温度、および／または、下限値の相対色温度に調整するときであっても、第１のＬＥＤモジュールＡまたは第２のＬＥＤモジュールＢに対する電力供給を停止することなく、調整する相対色温度に応じた所定の比率で第１のＬＥＤモジュールＡおよび第２のＬＥＤモジュールＢに電力供給を行う構成としてあるので、第１のＬＥＤモジュールＡまたは第２のＬＥＤモジュールＢのみで必要な照度を確保する必要がなく、その結果、光源部１ａにおけるＬＥＤの必要個数を削減できるだけでなく、駆動回路部１ｂの回路規模を小さくでき、ひいては同等の相対色温度調整が可能な照明装置に比して大幅なコストダウンが可能となる。
【００３６】
具体的には、図４の（ｂ）〜（ｅ）に示すように、第１の色温度は第２の色温度よりも高く、第１の色温度は相対色温度調整範囲の上限値の相対色温度よりも高い色温度である、および／または、第２の色温度は相対色温度調整範囲の下限値の相対色温度よりも低い色温度としてある。
【００３７】
そして、図４の（ｂ）および（ｅ）に示す実施形態では、第１の色温度と相対色温度調整範囲の上限値の相対色温度との差を、第２の色温度と相対色温度調整範囲の下限値の相対色温度との差よりも大きくしてあるので、低い色温度のＬＥＤほど演色性が高い傾向にあることを利用し、第１のＬＥＤモジュールＡの駆動比率が高い相対色温度調整範囲の上限域において演色性の高い第２のＬＥＤモジュールＢの駆動比率を従来より高くすることで、演色性の高い照明光を実現できる。逆に、第２のＬＥＤモジュールＢの駆動比率が高い相対色温度調整範囲の下限域では、第２の色温度を相対色温度調整範囲の下限値よりも低くすると、演色性の低い第１のＬＥＤモジュールＡの駆動比率が従来より高くなることで、照明光の演色性が低下する可能性があるが、第２の色温度と相対色温度調整範囲の下限値の相対色温度との差を、第１の色温度と相対色温度調整範囲の上限値の相対色温度との差よりも小さくすることで、演色性の低下を抑制することができる。
【００３８】
また、図４の（ｂ）および（ｅ）に示す実施形態では、第２の色温度を相対色温度調整範囲の下限値の相対色温度と同じとしてあるので、光源部１ａの相対色温度を相対色温度調整範囲の下限値の相対色温度に調整する場合、従来と同様に第２のＬＥＤモジュールＢのみを発光駆動させることになり、その結果、相対色温度調整範囲の下限値における照明光の演色性を従来と同等としつつ、相対色温度調整範囲の上限域において演色性の高い照明光を実現できる。
【００３９】
つぎに、本発明の第２実施形態に係る照明装置１について、図５および図６を参照して説明する。
なお、第２実施形態は、所定の相対色温度のときに駆動電力の合計を最大とする実施例であり、具体的には、通常、最も利用される相対色温度（色調）のときに最も明るくし、それ以外の相対色温度のときは、ユーザーにとって特に問題が無い程度に明るさを落とす省電力モード（エコモード）に対応した動作を実現するものである。
【００４０】
図５の（ａ）は本発明の第２実施形態に係る照明装置の相対色温度調整範囲とＬＥＤモジュールの駆動電力比率との関係を示す説明図であり、図５の（ｂ）は本発明の第２実施形態に係る照明装置の相対色温度調整範囲と光源部の駆動電力の合計との関係を示す説明図である。
なお、本実施形態における光源部１ａの相対色温度調整範囲も、第１実施形態と同じように、３０００Ｋ−６０００Ｋとする。
【００４１】
図５の（ａ）に示すように、光源部１ａの色温度が５０００Ｋのときに光源部１ａの駆動電力の合計が最大になるようにする場合、従来の照明装置では、６０００Ｋの色温度を有するＬＥＤモジュールと３０００Ｋの色温度を有するＬＥＤモジュールとが用いられるため、相対色温度調整範囲でそれぞれのＬＥＤモジュールに供給される駆動電力は、ラインＬａ２、Ｌｂ２のように変化する。
【００４２】
一方、本実施形態の照明装置１では、図２の（ｃ）で示したように、ＬＥＤモジュールＡ、Ｂがともに相対色温度調整範囲よりも外側にある例として、７０００Ｋの色温度を有する第１のＬＥＤモジュールＡ２と２０００Ｋの色温度を有する第２のＬＥＤモジュールＢ２とを用いた場合、光源部１ａの色温度が５０００Ｋのときに光源部１ａの駆動電力の合計が最大になるようにする場合、駆動回路部１ｂは、相対色温度調整範囲でそれぞれのＬＥＤモジュールＡ、Ｂに供給される駆動電力を、ラインＬＡ２、ＬＢ２のように変化するように制御する。
【００４３】
すなわち、第１のＬＥＤモジュールＡ２は、ラインＬＡ２のように、３０００Ｋから駆動電力の比率が増大し、５０００Ｋで最大（１００％）となり、それ以上の色温度では一定となるように制御し、また、第２のＬＥＤモジュールＢ２は、ラインＬＢ２のように、相対色温度が所望の値になるように変化し、色温度調整範囲外である２０００Ｋで駆動電力の比率が最大（１００％）、７０００Ｋで最小（０％）となるように制御する。その結果、図５の（ｂ）に示すように、光源部１ａの色温度と光源部１ａの駆動電力の合計との関係は、従来の照明装置と本実施形態の照明装置１のどちらも、光源部１ａの相対色温度調整範囲のどの色温度でも同じになる。
【００４４】
図６は、ＬＥＤの色温度の組合せに対する、光源部の相対色温度と駆動電力との関係、およびＬＥＤの必要個数を示す説明図であり、図６の（ａ）は従来の照明装置に係る説明図、図６の（ｂ）は本発明の第２実施形態の照明装置に係る説明図である。
なお、本具体例でも、照明装置は、ＬＥＤモジュールに用いるＬＥＤのすべてが１Ｗの出力のものとする。
【００４５】
図６の（ａ）に示す従来の照明装置では、相対色温度調整範囲の上限の色温度６０００ＫのＬＥＤモジュールＡ１と下限の色温度３０００ＫのＬＥＤモジュールＢ１が用いられる。この場合、ＬＥＤの必要数は、それぞれ、５２個、４８個となる。
【００４６】
図６の（ｂ）に示す本実施形態の照明装置１におけるＬＥＤの組合せ例では、色温度７０００ＫのＬＥＤモジュールＡ２と色温度２０００ＫのＬＥＤモジュールＢ２が用いられる。この場合、ＬＥＤの必要数は、それぞれ、４３個、３４個となり、どちらも従来の照明装置に比べて少ない個数ですむ。その他、第１実施形態と同様な効果を奏する。
【００４７】
以上に述べた本発明の第２実施形態によれば、駆動回路部１ｂは、第１のＬＥＤモジュールＡに対する供給電力が相対色温度調整範囲内の所定の相対色温度以上で最大となるように第１のＬＥＤモジュールＡの供給電力を制御するので、演色性の高い第１のＬＥＤモジュールＡの駆動比率を高めて演色性の高い照明光を実現できる。また、光源部１ａの相対色温度が相対色温度調整範囲内の所望の値になるように第２のＬＥＤモジュールＢの供給電力を制御するので、所定の相対色温度以上の領域では、相対色温度を上昇側に調整する場合、第２のＬＥＤモジュールＢの駆動比率を低下させることになり、その結果、相対色温度を上昇させるほど消費電力が低下するという省電力モードで光源部１ａを発光駆動させることが可能になる。
【００４８】
以上、本発明の好ましい実施形態について詳述したが、本発明は上述した実施形態に限定されるものではなく、特許請求の範囲に記載された本発明の要旨の範囲内において、種々の変形、変更が可能である。
【００４９】
例えば、前記実施形態では、発光素子としてＬＥＤを例示したが、ＬＥＤ以外の発光素子を用いて光源部が構成される照明装置にも本発明を適用することができる。
【００５０】
また、発光素子の駆動方式は任意であり、特定の駆動方式に限定されない。たとえば、発光素子を時分割で点滅させ、オン時間とＯＦＦ時間の比率設定にもとづいて駆動電力を変化させるＰＷＭ方式や、電流値制御で発光強度自体を変えるリニア方式を適宜選択することができる。
【符号の説明】
【００５１】
１…照明装置、１ａ…光源部、１ｂ…駆動回路部、２…制御回路、３ａ…定電流回路、３ｂ…定電流回路、Ａ…ＬＥＤモジュール（第１光源の一例）、Ｂ…ＬＥＤモジュール（第２光源の一例）
【図１】
2013191522.tif 000003
【図２】
2013191522.tif 000004
【図３】
2013191522.tif 000005
【図４】
2013191522.tif 000006
【図５】
2013191522.tif 000007
【図６】
2013191522.tif 000008